(57)【特許請求の範囲】
【請求項１】
リモコン操作により放送を受信する放送受信機において、
複数人の不特定ユーザによるリモコン操作から取得した番組視聴の視聴状況に基づき出現頻度の高いキーワードを検出するキーワード頻度管理部と、
前記キーワード頻度管理部によって得られた出現頻度の高いキーワードを不特定ユーザ、または各ユーザの好み情報として登録・管理する好み情報管理部と、前記リモコン操作があった場合には、前記好み情報管理部に出現頻度の高いキーワードを不特定ユーザの好み情報として登録させると共に、不特定ユーザの好み情報として登録しているキーワード群のうちから各ユーザに好みのキーワードを選択させるように好み登録インタフェースを提供し、その好み登録インタフェースを介し各ユーザにより好みのキーワードの選択があった場合には、前記好み情報管理部に当該選択された不特定ユーザの好み情報としてのキーワードをユーザの好み情報として登録させるユーザインタフェース部と、
を備えることを特徴とする放送受信機。
【請求項２】
ユーザインタフェース部は、不特定ユーザの好み情報として登録されているキーワード群に加えて、登録されているキーワード以外のキーワードを混ぜ、好み登録インタフェースを構成し、さらに前記好み登録インタフェース上に表示されている不特定ユーザ情報領域の好み情報の中には、実際に視聴された番組とは関係無いキーワードが含まれているということをメッセージとして表示することを特徴とする請求項１に記載の放送受信機。
【請求項３】
不特定ユーザの好み情報に、番組情報の中からランダムに選択したキーワードを混ぜることを特徴とする請求項２に記載の放送受信機。
【請求項４】
不特定ユーザの好み情報に、放送受信機の電源投入時間帯に放送されていた各局の番組の、番組情報の中からランダムに選択したキーワードを混ぜることを特徴とする請求項２に記載の放送受信機。
【請求項５】
好み情報管理部は、不特定ユーザの好み情報であるキーワード群の数が一定数を超えた際にユーザインタフェース部にその旨の通知を行い、通知を受け取ったユーザインタフェース部は、ユーザに好み登録を行うようメッセージを表示することを特徴とする請求項１に記載の放送受信機。
【請求項６】
ユーザインタフェース部は、放送受信機の電源投入時に、ユーザに好み登録を行うようメッセージを表示することを特徴とする請求項１に記載の放送受信機。
【請求項７】
ユーザインタフェース部は、ユーザが視聴中の番組の次に放送が予定されている番組が開始する時刻の直前に、ユーザに好み登録を行うようメッセージを表示することを特徴とする請求項１に記載の放送受信機。
【請求項８】
好み情報管理部は、不特定ユーザの好み情報として登録したキーワード群に対し各ユーザ毎にどのキーワードを好み確認したかという情報を保持し、ユーザインタフェース部は、前記不特定ユーザの好み情報として登録したキーワード群のうち、放送受信機を使用するユーザとして登録されたユーザ全員が好み確認を行ったキーワードについては、削除することを特徴とする請求項１に記載の放送受信機。
【請求項９】
好み情報管理部は、不特定ユーザの好み情報として登録したキーワード群に対し各ユーザ毎にどのキーワードを好み確認しないまま何回閲覧したかという情報を保持し、ユーザインタフェース部は、前記不特定ユーザの好み情報として登録したキーワード群のうち、ユーザが一定回数好み確認しないまま閲覧したキーワードについては、当該ユーザが当該キーワードに対する興味を持っていないものとして削除することを特徴とする請求項１に記載の放送受信機。
【請求項１０】
さらに、各ユーザの好み情報に対するアクセスを制限するためのパスワードを管理するパスワード管理部を備えることを特徴とする請求項１〜請求項９のいずれかに記載の放送受信機。
【請求項１１】
パスワード管理部が管理するユーザのキーワード毎に、パスワードによるアクセス制限を行うかどうかを区別するためのフラグを付加することにより、ユーザインタフェース部は、パスワード入力を求めるキーワード群と、パスワード入力を求めないキーワード群とを区別して好み登録インタフェースを構成することを特徴とする請求項１０に記載の放送受信機。
【発明の詳細な説明】
【０００１】
【発明の属する技術分野】
本発明は、複数ユーザが一つのリモコンを用いて番組視聴を行う際、ユーザ毎の番組に対する好みを取得するためのユーザインタフェースを備える放送受信機に関する。
【０００２】
【従来の技術】
現在放送中のＢＳデジタル放送では、番組選択や録画予約の際に電子番組ガイド（ＥＰＧ: Electronic Program Guide）が利用されている。ユーザはこのＥＰＧを眺めながら見たい番組を探すことになるが、数多くのチャンネルが提供されているにも関わらず、テレビの１画面に表示できる番組情報の数には限りがあるため、見たい番組を探すのが困難となる場合がある。
【０００３】
特開２０００−１１５０９８号公報に示されている従来の番組選択補助装置では、過去の番組選局状況からユーザの好みを抽出し、ユーザの好みにあった番組を自動的に検索して表示するものである。この番組選択補助装置の構成図を図１３に示す。
図１３において、１３１は番組選択、番組選択補助やユーザＩＤの入力を行うためのリモコンなどから構成される操作部、１３２は操作部１３１を介してユーザを特定し、ユーザの好みに応じた番組選択補助を実行させるための利用者識別部、１３３は操作部１３１の操作に基づき、選択されたチャンネル、そのときのユーザ、時間帯等の情報を得る番組情報分析部、１３４は番組情報分析部１３３において分析された番組のチャンネル、番組を視聴したユーザ、時間帯等の情報を蓄積記憶する利用者別番組情報記憶部、１３６はインターネットや放送局から送出されたＥＰＧ情報を収集する番組情報収集部、１３５は利用者別番組情報記憶部１３４に記憶された過去の分析情報と、番組情報収集部１３６で収集された現在のＥＰＧ情報を比較することにより、ユーザが好むであろう番組を抽出する番組抽出部、１３７はユーザがこの番組選択補助装置を利用する際に、番組抽出部１３５により抽出された番組情報を提供する推薦番組提供部、１３８は推薦番組を表示するテレビジョン受像機である。
【０００４】
この番組補助装置において、ユーザは予め自分のユーザＩＤを操作部１３１において入力し、番組視聴を開始する。このとき、利用者識別部１３２は入力されたユーザＩＤから番組視聴を行っているユーザを特定する。視聴開始後、ある番組を一定時間以上視聴したことを番組情報分析部１３３が検出すると、選択されていたチャンネル、そのとき視聴を行っていたユーザ、番組が放送されていた時間帯等の情報が、当該番組に対する分析情報として利用者別番組情報記憶部１３４に記憶される。番組抽出部１３５は、利用者別番組情報記憶部１３４に記憶された過去の分析情報と番組情報収集部１３６で収集されたＥＰＧ情報とを比較することにより、ユーザが好むであろう番組を抽出する。このとき、番組を抽出する条件としては、利用者別番組情報記憶部１３４の中に記憶された１）番組の時間帯、２）番組ジャンル、３）出演者、４）共演者などを指定して番組を抽出する。推薦番組提供部１３７は、抽出された番組の次回の放送日、放送時間、チャンネル、出演者等などの情報を文字等でテレビジョン受像機１３８上に表示する。
【０００５】
このような番組選択補助装置を用いることにより、ユーザは通常の番組選択を行うだけで、自分が興味を持つ可能性のある番組の候補を得ることができた。
【０００６】
【発明が解決しようとする課題】
しかしながら、以上のような各個人の好みにあった推薦番組の提供を受けるためには、番組視聴を行う際にいちいちユーザＩＤを入力する必要があった。この操作は非常に面倒であるし、他人のユーザＩＤのままリモコン操作を行ってしまうという状況が容易に起こり得る。そのような場合には、自分の番組視聴に対する好みが他人の好みとして記録されてしまうことになる。
【０００７】
本発明は上記の問題点を解決するためになされたもので、リモコン操作を誰が行ったかということは一切区別せずに番組の視聴履歴を取得し、それらの視聴履歴と番組情報を比較することにより得られるジャンルや出演者などのキーワードを各ユーザに提示することにより、リモコンを複数ユーザが共有する場合でも、ユーザＩＤを入力することなく、後から好きなときに自分の好みとして選択・登録できるようなインタフェースを有する放送受信機を提供することを目的とする。
【０００８】
【課題を解決するための手段】
上記課題を解決するため、本発明では、リモコン操作により放送を受信する放送受信機において、複数人の不特定ユーザによるリモコン操作から取得した番組視聴の視聴状況に基づき出現頻度の高いキーワードを検出するキーワード頻度管理部と、前記キーワード頻度管理部によって得られた出現頻度の高いキーワードを不特定ユーザ、または各ユーザの好み情報として登録・管理する好み情報管理部と、前記リモコン操作があった場合には、前記好み情報管理部に出現頻度の高いキーワードを不特定ユーザの好み情報として登録させると共に、不特定ユーザの好み情報として登録しているキーワード群のうちから各ユーザに好みのキーワードを選択させるように好み登録インタフェースを提供し、その好み登録インタフェースを介し各ユーザにより好みのキーワードの選択があった場合には、前記好み情報管理部に当該選択された不特定ユーザの好み情報としてのキーワードをユーザの好み情報として登録させるユーザインタフェース部と、を備えることを特徴とする。
【０００９】
特に、ユーザインタフェース部は、不特定ユーザの好み情報として登録されているキーワード群に加えて、登録されているキーワード以外のキーワードを混ぜ、好み登録インタフェースを構成し、さらに前記好み登録インタフェース上に表示されている不特定ユーザ情報領域の好み情報の中には、実際に視聴された番組とは関係無いキーワードが含まれているということをメッセージとして表示することを特徴とする。
【００１０】
また、不特定ユーザの好み情報に、番組情報の中からランダムに選択したキーワードを混ぜることを特徴とする。
【００１１】
また、不特定ユーザの好み情報に、放送受信機の電源投入時間帯に放送されていた各局の番組の、番組情報の中からランダムに選択したキーワードを混ぜることを特徴とする。
【００１２】
また、好み情報管理部は、不特定ユーザの好み情報であるキーワード群の数が一定数を超えた際にユーザインタフェース部にその旨の通知を行い、通知を受け取ったユーザインタフェース部は、ユーザに好み登録を行うようメッセージを表示することを特徴とする。
【００１３】
また、ユーザインタフェース部は、放送受信機の電源投入時に、ユーザに好み登録を行うようメッセージを表示することを特徴とする。
【００１４】
また、ユーザインタフェース部は、ユーザが視聴中の番組の次に放送が予定されている番組が開始する時刻の直前に、ユーザに好み登録を行うようメッセージを表示することを特徴とする。
【００１５】
また、好み情報管理部は、不特定ユーザの好み情報として登録したキーワード群に対し各ユーザ毎にどのキーワードを好み確認したかという情報を保持し、ユーザインタフェース部は、前記不特定ユーザの好み情報として登録したキーワード群のうち、放送受信機を使用するユーザとして登録されたユーザ全員が好み確認を行ったキーワードについては、削除することを特徴とする。
【００１６】
また、  好み情報管理部は、不特定ユーザの好み情報として登録したキーワード群に対し各ユーザ毎にどのキーワードを好み確認しないまま何回閲覧したかという情報を保持し、ユーザインタフェース部は、前記不特定ユーザの好み情報として登録したキーワード群のうち、ユーザが一定回数好み確認しないまま閲覧したキーワードについては、当該ユーザが当該キーワードに対する興味を持っていないものとして削除することを特徴とする。
【００１７】
また、さらに、各ユーザの好み情報に対するアクセスを制限するためのパスワードを管理するパスワード管理部を備えることを特徴とする。
【００１８】
また、パスワード管理部が管理するユーザのキーワード毎に、パスワードによるアクセス制限を行うかどうかを区別するためのフラグを付加することにより、ユーザインタフェース部は、パスワード入力を求めるキーワード群と、パスワード入力を求めないキーワード群とを区別して好み登録インタフェースを構成することを特徴とする。
【００１９】
【発明の実施の形態】
実施の形態１．
図１は、この発明の実施の形態１による放送受信機の構成を示すブロック図である。
図１において、１は放送波を受信するアンテナ、２は放送波から選択された番組が含まれるストリームを抽出するためのチューナ、３はチューナ２から取り出されたストリームから所望の番組の映像・音声データおよび全チャンネルの番組情報を分離するためのデマルチプレクサ、４は選択された番組の映像・音声を復号化するデコーダ、５は音声データをスピーカに入力する電気信号の形に変換する音声処理部、６はスピーカ、７はデコーダ４からの映像出力およびユーザインタフェース部１７から出力されるユーザインタフェースを統合し、表示装置に出力できる形に変換するグラフィクス処理部、８は表示装置、９は好み情報が記録される好み情報記録部、１０は好み情報記録部９に対して好み情報の書き込み・読み出しを行う好み情報管理部、１１は全チャンネルの番組情報を取得し一定時間保存する番組情報取得部、１２は番組情報取得部１１から得た番組情報の中から特定のキーワードを持つ番組を検索する検索部、１３は指定されたチャンネルへの変更を行うなど放送受信機全体の制御を行うシステム制御部、１４はユーザの番組視聴状況と番組情報を比較することにより抽出されたキーワードの出現頻度管理を行うキーワード頻度管理部、１５はユーザが放送受信機に対する操作を行うためのリモコン、１６はリモコンから送られてきた赤外線信号を電気的な信号（リモコンコード）に変換し、その信号をユーザインタフェース部１７に入力するリモコン受信部、１７はリモコンコードの受信、受信したリモコンコードに応じたシステム制御部への指令、番組情報取得部１１から受信した番組情報による番組表の生成、キーワード頻度管理部１４へのユーザの番組視聴状況の提供、好み情報管理部１０からの不特定ユーザの好み情報の取得、取得した不特定ユーザの好み情報から個人の好み情報を選択するためのインタフェースの生成、好み情報管理部１０から取得した個人毎の好み情報であるキーワードの検索部１２への提供、検索部１２から取得した番組検索結果を表示するための加工、および生成された各種のインタフェースを表示装置８へ表示するためのグラフィクス処理部７へのインタフェースの提供、などを行うユーザインタフェース部である。
【００２０】
次に本実施の形態１の放送受信機の動作について説明する。
まず、ユーザインタフェース部１７がどのように不特定数のユーザのリモコン操作からキーワードを抽出し、次にそれらのキーワードを好み情報として登録するかを図２に示すフローチャートに沿って示す。
ユーザインタフェース部１７は、リモコン受信部１６からリモコンコードを受信する（ステップＳ２１）。いわゆる「ザッピング」のようにユーザがチャンネルを短時間に次々と変えるような場合には有意に番組視聴を行ったとは考えられないので、受信したリモコンコードから一定時間以上同一番組を視聴したかを調べる（ステップＳ２２）。一定時間以上同一番組を視聴していた場合（ステップＳ２２“Ｙ”）、ユーザインタフェース部１７は、対応する番組の番組情報を番組情報取得部１１から取得し、番組情報に対して形態素解析を行いキーワードを抽出する（ステップＳ２３）。抽出したキーワードはリモコン操作を行ったユーザがある程度興味を持っているものとみなせるので、、ユーザインタフェース部１７は、キーワード頻度管理部１４において保存・管理されている図３に示すようなキーワードに対する出現頻度のデータベースに登録済みであるかどうかを調べる（ステップＳ２４）。
【００２１】
もし対応するキーワードが既に登録されている場合（ステップＳ２４“Ｙ”）、ユーザインタフェース部１７は、当該キーワードの出現頻度を１増やす（ステップＳ２５）。対応するキーワードが無い場合には、出現頻度を１として新たにキーワードを登録する（ステップＳ２６）。
次に、ユーザインタフェース部１７は、出現頻度が一定回数を超えたキーワードがあるかどうかを調べ（ステップＳ２７）、出現頻度が一定回数を超えるキーワードが存在した場合には（ステップＳ２７“Ｙ”）、好み情報管理部１０を介して好み情報記録部９中の不特定ユーザの好み情報領域へ当該キーワードを保存する（ステップ２８）。ここでステップＳ２３において抽出されたキーワードが、既に不特定ユーザの好み情報領域に保存されていた場合には、当該抽出キーワードは新たに好み情報領域への登録の対象とはしない。
【００２２】
例えば、家族数人が一つのリモコンを共有して番組視聴を行っている場合、ここで不特定ユーザの好み情報領域に登録されたキーワード群は、家族を構成するユーザの全員の好みを加え合わせたものと考えることができる。
【００２３】
不特定ユーザの好み情報領域に新たに登録されたキーワードの数が一定数を超えると、ユーザインタフェース部１７は、例えば表示画面上に図４の下方に示すような“新たに検出されたお好みのキーワードがあります。”等のメッセージを表示したり、特定のマークを表示するようユーザインタフェースを構成して、ユーザに対しキーワードの登録を促す。このとき、ユーザの番組視聴を妨げないようにするため、図４のようなメッセージの表示は、放送受信機の電源投入時や、ユーザが一つの番組の視聴が終えたと思われる、番組と番組のつなぎ目の時間などに行うと良い。番組と番組のつなぎ目は、ユーザインタフェース部１７が番組情報取得部１１から取得した番組情報と、リモコン受信部１６から得られるユーザの番組視聴状況を比較することにより検出し、現在視聴中の番組の次に放送が予定されている番組の開始時刻の直前、例えば２分前などにキーワードの登録を促すメッセージやマークを表示する。
【００２４】
また、図５は、リモコン１５の一つの構成例である。５０はチャンネル入力やパスワード入力などの際に用いる数字ボタン、５１は「好み登録モード」へ移行するための好み登録キー、５２ａ〜５２ｄは方向キー、５３は決定キー、５４はユーザを選択するときのためにユーザＩＤが各ボタンに登録されているユーザ選択キー、５５は図６に示すようなメニュー画面を表示させるためのメニューボタン、５６はキーワードを削除するときに用いるキーワード削除キーである。
【００２５】
また、図６は、ユーザがリモコン１５のメニューボタン５５を押すことによって表示されるメニュー画面であり、６０はボタンが押された日における全局の番組表を表示するための全局番組表表示キー、６１は各局において現在放送中番組に対する番組表を一覧表示するための現在放送番組表示キー、６２は好み登録モードへ移行するための好み登録キー、６３は番組検索を行うための番組検索キー、６４は現在選択中のメニューを示すカーソルである。方向キー５２ａ〜５２ｄを用いてカーソルを移動させ、決定キー５３によって所望のメニューを選択する。
【００２６】
リモコン上の好み登録キー５１、もしくはメニュー画面上の好み登録キー６２を選択することにより、好み登録モードへ移行する。なお、好み登録モードへは、図４の下方に示すような“新たに検出されたお好みのキーワードがあります。”等のメッセージが表示されている時だけではなく、いつでも好み登録キー５１，６２を押すことにより、移動することができる。
【００２７】
好み登録モードへ移行すると、ユーザインタフェース部１７は、図７に示すようなユーザ選択画面を構成する。
図７において、７０はユーザのまとまりの単位であるグループの選択ボックス、７１はユーザの選択ボックス、７２はユーザ選択キー５４のボタン配置に対応する各ユーザ名表示、７３は現在選択中のユーザを表すカーソルである。ここで、図５に示したリモコンの構成例において、ユーザ選択キー５４は４つのボタンしか持たないが、５人以上のユーザを扱う際には、ユーザを４人以下の「グループ」という単位に分け、グループに応じて４つのボタンに対するユーザＩＤの割当てを変更することにより、５人以上のユーザを区別する。図７の例では、グループ１が選択され、予めグループ１に登録された４人の名前がユーザ名表示７２に表示されている。グループの選択は、グループ選択ボックス７０においてリモコンの数字ボタン５０により数字を入力することにより行われる。
【００２８】
ユーザの選択は、リモコンの方向キー５２ａ〜５２ｄもしくはユーザ選択キー５４により、カーソル７３を移動させることにより行われる。方向キー５２ａ〜５２ｄを用いた場合、カーソル７３は１ユーザずつ連続的に移動するが、ユーザ選択キー５４を用いる場合には、カーソル７３はユーザ選択キー５４のボタン配置に対応したユーザ名まで直接移動する。カーソル７３の現在位置に対応するユーザ名は、ユーザ選択ボックス７１に表示される。ユーザが所望のユーザ名を選択した後、決定キー５３を押すことによりユーザインタフェース部１７はユーザＩＤを取得する。
【００２９】
また、ユーザ選択キー５４を用いた別のユーザ選択法の一例として、ユーザ選択キー５４の内、現在のカーソル７３位置に対応するキーを押した際に、表示するユーザのグループを一つ進めるという方法がある。図７の例ではカーソル７３がユーザ「太郎」に位置しているが、この状態からユーザ選択キー５４の内一番左側の「お父さん」に対応するボタンを押し、カーソルをお父さんの位置に移動させ、更にもう一度お父さんに対応するボタンを押した場合、次のグループであるグループ２に登録されたユーザ名が表示される。この方法では、グループを指定するのに数字ボタンを押さないでも良いという利点がある。
【００３０】
ユーザインタフェース部１７は、ユーザからユーザＩＤを受け取ると、特定したユーザに応じて図８に示すような好み登録インタフェースである好み登録画面を構成し、グラフィクス処理部７を介し表示装置８に表示する。。このとき、ユーザインタフェース部１７は、ユーザＩＤを好み情報管理部１０に送り、不特定ユーザに対応するキーワード群と指定されたユーザに対するキーワード群を取得し、それぞれを図８において、不特定ユーザ好み情報表示領域８０、指定ユーザ好み情報表示領域８３に表示するようユーザインタフェースを構成する。８１はキーワードを選択するためのカーソル、８２は予め登録済みであるユーザＩＤに対応するユーザ名の表示領域である。
【００３１】
ユーザは、好み登録インタフェースである好み登録画面を眺めながらリモコンの方向キー５２ａ〜５２ｄを用いて、カーソル８１を移動させ、決定キー５３で好みのキーワードを選択することにより、自分の好み情報領域にそのキーワードを登録することができる。選択したキーワードの表示は不特定ユーザ好み情報表示領域８０からは消去され、指定ユーザ好み情報表示領域８３へ移動する。このときユーザインタフェース部１７は、好み情報管理部１０に対して、不特定ユーザ情報領域の好み情報の中からユーザによって選択されたキーワードを、指定されたユーザの好み情報領域へコピーするよう指示を与える。ユーザの好み情報領域が一杯になり、それ以上キーワードの登録を行えなくなった場合には、ユーザインタフェース部１７が、いずれかのキーワードを上書きするか、もしくはキーワードの登録作業を中止するかどうかの確認をユーザに対して行う。
【００３２】
一方、ユーザの好みではないキーワードに対しては、カーソル８１を移動させ、キーワード削除キー５６を押すことにより、不特定ユーザ好み情報表示領域８０から選択したキーワードを削除することができる。
【００３３】
このとき好み情報管理部１０は、図９に示すような形でキーワードを管理している。この図は、それぞれのキーワードに対して各ユーザ（Ａ、Ｂ、・・・、Ｆ）が、自分の好みのキーワードとして登録したか（「○」マーク）、好みではないのでこのキーワードを削除するためキーワード削除キー５６を操作したか（「×」マーク）、好み登録・削除を行わないまま何回そのキーワードを閲覧したか（数字）を表している。ユーザインタフェース部１７は、好み登録インタフェースを構成する際、不特定ユーザ好み情報領域８０に対しては、好み情報管理部１０において管理される各ユーザのキーワードの内、閲覧回数が書き込まれているもののみを表示する。
【００３４】
全てのユーザが自分の好みのキーワードとして登録したか、もしくはキーワード削除キー５６により自分の好みのキーワードでないと判断した場合、すなわち図９において、全てのユーザが「○」もしくは「×」マークを与えているようなキーワードは、好み情報記録部９内における不特定ユーザの好み情報領域から削除する。これは、「○」と評価されたキーワードは、それぞれ評価したユーザ毎の好み情報領域に既にコピー済みであるし、一方「×」と評価したユーザにとってはこのようなキーワードは必要無いためである。
【００３５】
また、好み登録・削除を行わないまま閲覧を続けているキーワードは、その閲覧回数が一定数を超えた場合、好み情報管理部１０が当該ユーザの当該キーワードに対して登録されている閲覧回数を表す数字を、当該キーワードの削除を表す「×」へと変更する。すなわち、好みであるか、そうではないかを保留したまま何度も不特定ユーザ好み情報領域８０にキーワードを表示している場合には、そのキーワードはユーザが興味を持っていないものとして、削除をしたのと同じ扱いにする。
【００３６】
以上に述べた方法により、ユーザはそれぞれ各自の好みのキーワードを取得することができ、好みのキーワードを含む番組情報を検索できる。
【００３７】
番組検索は、例えば、まずリモコンのメニューキー５５を押し、次に表示される図６に示すメニュー画面の中から番組検索キー６３を選択することにより利用できる。
次に、図７に示すユーザ画面を表示して、ユーザインタフェース部１７が番組検索を所望するユーザのユーザＩＤを取得する。さらにユーザインタフェース部１７は、そのＩＤを好み情報管理部１０に対して送出し、指定されたユーザの好みのキーワードを取得する。次に、検索部１２に対してそれらのキーワードを出力し、検索部１２が番組情報取得部１１から取得した番組情報の中から指定されたキーワードを含む番組を検索する。
【００３８】
なお、番組検索キー６３を選択することによって利用できる番組検索では、ユーザを指定せずに任意のキーワードによる検索も可能である。
【００３９】
ユーザインタフェース部１７は、検索部１２から取得した検索結果を元に、例えば、図１０のような画面を構成する。図１０において、１００は予め登録してあったユーザＩＤに対応するユーザ名の表示部分、１０１は検索された番組のタイトル表示部分、１０２は番組を選択するためのカーソル、１０３はカーソルによって選択されている番組の番組情報表示部分である。ユーザは、このような番組の検索結果から直接番組を指定して、現在放送中の番組に対しては直ちに選局を行ったり、将来放送される予定の番組に対しては視聴予約を行ったりすることができる。
【００４０】
また、一致したキーワードの数などにより、検索された番組に順位付けを与えることによって、通常の番組視聴時に、ユーザがユーザ選択キーを押して自分のユーザＩＤをユーザインタフェース部１７に伝えるだけで、その時点で放送されている番組の内、最も高い順位の番組が放送されている放送局へのチャンネル自動変更などを実現することができる。
【００４１】
以上のように、本実施の形態１の放送受信機によれば、まずリモコンの使用者を区別しないで視聴履歴を取得し、それらの視聴履歴と番組情報を比較することにより得られるキーワードを、各ユーザが後から選択可能なユーザインタフェースを構成することにより、個々のユーザが好むキーワードを確実に、かつ直接キーワードを入力するよりもより少ない負担で取得することができる。
【００４２】
実施の形態２．
実施の形態１において、リモコンを共有して番組視聴を行うユーザが二人のみの場合、ユーザが自分の好みのキーワードを不特定ユーザのキーワード群の中から選ぶ際には、自分に視聴した心当たりの無いキーワードは、相手が視聴したことによって登録されたものだということが分かってしまい、プライバシー上の問題が生じる。
【００４３】
そこで、ユーザインタフェース部１７が好み登録インタフェースとして好み登録インタフェースである好み登録画面を構成する際、不特定ユーザ好み情報表示領域８０に表示するキーワード群として、好み情報記録部９の不特定ユーザの好み情報領域において記録されているキーワード群とは別に、それらキーワード群には含まれない実際にはユーザが視聴した番組には関連の無いキーワードを混ぜておく。また、このような実際にはユーザが視聴した番組には関連の無いキーワードが含まれていることを、番組視聴を行うユーザに対して周知されるように「ここに表示されているキーワードには、実際に視聴した番組には関係の無いものが含まれています。」などというメッセージを表示するようユーザインタフェースを構成するようにしても良い。
【００４４】
不特定ユーザ好み情報表示領域８０に混ぜる実際にはユーザが視聴した番組に関連の無いキーワードの選び方の一例として、全ての番組情報の中からランダムにキーワードを抽出する方法がある。このときユーザインタフェース部１７は、番組情報取得部１１から取得した番組情報から得られるキーワード群の中からランダムにキーワードを選択する。ランダムに選択したキーワードが、既に好み情報記録部９の不特定ユーザ好み情報表示領域において記録されていた場合は、もう一度選択し直す。
【００４５】
また、不特定ユーザ好み情報表示領域８０に混ぜる実際にはユーザが視聴した番組に関連の無いキーワードの選び方の他の一例として、放送受信機の電源が投入されていた時間帯を記録しておき、その時間帯には実際に選択されなかった番組の番組情報の中からランダムにキーワードを選択する方法がある。このときユーザインタフェース部１７は、予めリモコン受信部１６からの電源投入、電源切に対応するリモコンコードを認識し、それらの信号が受信された時刻を記録しておく。次に、番組情報取得部１１から取得した番組情報の中から、放送受信機の電源が投入されていた時間帯に放送されていた全番組の番組情報からランダムにキーワードを選択する。ランダムに選択したキーワードが、既に好み情報記録部９の不特定ユーザ好み情報表示領域において記録されていた場合は、もう一度選択し直す。
【００４６】
以上のように、本実施の形態２の放送受信機によれば、ユーザの選択対象となる不特定ユーザのキーワード群に、ユーザが実際に視聴した番組には関連の無いキーワードを混ぜておき、かつそのことを番組視聴を行う複数のユーザに周知されるようにメッセージとして表示するようユーザインタフェースを構成することにより、誰がどのような内容の番組を視聴していたか、というプライバシーに関する問題を緩和することができる。
【００４７】
また、ユーザが実際に視聴した番組には関連の無いキーワードの選び方として、全番組の中からランダムにキーワードを選ぶことにより、ユーザに提示されるキーワードの種類に対する一貫性を無くすことができる。
【００４８】
さらに、ユーザが実際に視聴した番組には関連の無いキーワードの選び方として、放送受信機の電源が投入されていた時間に放送されていた全番組の番組情報からランダムにキーワードを選ぶことより、通常の生活時間帯では見ることのできないような番組のキーワードの選択を回避し、不自然なキーワードをユーザに提示すことを避けることが出来る。
【００４９】
実施の形態３．
図１１は、この発明の実施の形態３による放送受信機の構成を示すブロック図である。図１１において、１８はユーザにより指定されたパスワードを保存・管理するためのパスワード管理部である。なお、それ以外の構成は、図１に示した実施の形態１の放送受信機と同様の機能を有するので、実施の形態１の放送受信機と同様の機能を有するブロックは同じ番号で示し、説明は省略する。
【００５０】
次に、本実施の形態３による放送受信機の動作を説明する。
実施の形態１においてユーザを特定する手段は、リモコンの４つあるユーザ選択キー５４の内（図５参照）、どのボタンを押したかということだけであった。すなわち、他人の「なりすまし」を防ぐ手立ては一切無かった。そこで、本実施の形態３では、パスワードによるユーザの好み情報の保護を行う。
【００５１】
ユーザインタフェース部１７が、ユーザ名などのユーザ情報の登録を行う際同時にパスワード入力も求め、登録されたパスワードをユーザＩＤと共に関連づけてパスワード管理部１８に保存しておく。パスワードとしては、入力がそれほど煩雑にならないよう例えば４桁の数字の組み合わせを用いる。
【００５２】
ユーザは、例えば、図１２に示すようなインタフェースによって好み登録を行う。図１２において、１２０は、パスワードによってキーワードが保護されたパスワード保護領域、１２１はパスワード保護領域１２０にアクセスするときに求めるパスワード入力領域である。
【００５３】
ユーザインタフェース部１７は、ユーザが図１２に示す好み登録インタフェースである好み登録画面において、パスワード保護領域１２０のキーワードを閲覧したり、パスワード保護領域１２０に対して新たにキーワードを登録したりするためにパスワード保護領域１２０にアクセスしようとしたことを検出すると、パスワード入力を促すメッセージを表示しパスワード入力領域１２１においてパスワード入力を求める。
【００５４】
パスワードを取得したら、ユーザインタフェース部１７は、パスワード管理部１８に好み登録を行っているユーザのユーザＩＤを送出し、対応するパスワードを取得する。ここで、パスワード管理部１８から取得したパスワードとユーザが入力したパスワードが異なっていた場合は、パスワード保護領域１２０へのアクセスは許可されないのに対し、パスワードが一致した場合は、パスワード保護領域１２０へのアクセスは許可され、アクセスが許可された場合は、好み情報管理部１０に対してユーザＩＤを送出し、対応するユーザの好み情報の内、パスワードで保護されたキーワードを取得する。ここで、予め好み情報記録部９に記録されているキーワードは、それぞれパスワードで保護されているかいないかを区別するためのフラグを持っており、好み情報管理部１０はそのフラグを参照することにより、パスワードで保護されたキーワードと保護されていないキーワードを区別して取得することができる。
【００５５】
ユーザインタフェース部１７は、パスワードで保護されたキーワードを取得すると、パスワード保護領域１２０にそれらのパスワードを表示し、パスワード保護領域１２０に新たにキーワードを登録可能な状態となる。ユーザによりパスワード保護領域１２０に新たにキーワードが登録されたら、ユーザインタフェース部１７は好み情報管理部１０に対して当該キーワードをパスワード保護の対象として記録するよう要求する。好み情報管理部１０は、当該キーワードのパスワード保護のためのフラグをパスワード保護状態に設定し、対応するユーザの好み情報記録領域へ登録する。
【００５６】
パスワード保護領域１２０へのアクセスが有効なのは、一度正しいパスワードを入力することによりアクセスが許可されてから好み登録インタフェースである好み登録画面を終了するまでであり、次回好み登録キー５１を押すことにより再度好み登録インタフェースである好み登録画面を呼び出した際、パスワード保護領域１２０へのアクセスを行うときにはもう一度パスワード入力が求められる。
【００５７】
また、本実施の形態３において、登録された好みのキーワードから番組検索を行う際に、パスワード保護されたキーワードも用いて検索を行う場合には、ユーザにパスワード入力を求める。パスワード入力を行わない場合には、パスワード保護がされていないキーワードに対する番組検索しか行うことができないことになる。
【００５８】
以上に述べたように、本実施の形態３によれば、好みのキーワードを登録する際、パスワードで保護することのできる領域を設けることにより、ユーザの番組好みに対するプライバシーを守ることができると共に、他のユーザによる不本意な好み登録を防ぐことができる。また、他人に見られても良いキーワードはパスワード保護をしないことにより、毎回パスワードを入力する手間を省くことができ、簡便な操作性を維持することができる。
【００５９】
【発明の効果】
以上説明したように、本発明では、複数人の不特定ユーザによるリモコン操作から取得した番組視聴の視聴状況に基づき出現頻度の高いキーワードを検出し、出現頻度の高いキーワードを不特定ユーザの好み情報として登録すると共に、不特定ユーザの好み情報として登録しているキーワード群のうちから各ユーザに好みのキーワードを選択させるように好み登録インタフェースを提供し、その好み登録インタフェースを介し各ユーザにより好みのキーワードの選択があった場合には、当該選択された不特定ユーザの好み情報としてのキーワードをユーザの好み情報として登録するようにしたので、リモコンを複数ユーザが共有等する場合でも、ユーザＩＤを入力することなく、各ユーザが自分の好みの番組を選択・登録し、検索することができる。
【図面の簡単な説明】
【図１】  この発明の実施の形態１による放送受信機の構成を示すブロック図。
【図２】  ユーザインタフェース部１７の動作例を示すフローチャート。
【図３】  キーワード頻度管理部１４において保存・管理されているキーワードに対する出現頻度の一例を示す図。
【図４】  ユーザに対しキーワードの登録を促す場合の画面例を示す図。
【図５】  リモコン１５の一構成例を示す図。。
【図６】  ユーザがリモコン１５のメニューボタン５５を押すことによって表示されるメニュー画面の一例を示す図。
【図７】  好み登録モードに移行した場合にユーザインタフェース部１７が構成するユーザ選択画面の一例を示す図。
【図８】  好み登録インタフェースである好み登録画面の一例を示す図。
【図９】  好み情報管理部１０はにおけるキーワードの管理の一例を示す図。。
【図１０】  実施の形態２における検索結果画面の一例を示す図。
【図１１】  実施の形態３による放送受信機の構成を示すブロック図。
【図１２】  実施の形態３における好み登録インタフェースである好み登録画面の一例を示す図。
【図１３】  特開２０００−１１５０９８号公報に記載の従来の番組選択補助装置の構成図。
【符号の説明】
９  好み情報記録部、１０  好み情報管理部、１４  キーワード頻度管理部、１５  リモコン、１７  ユーザインタフェース部。
【図１】
0003903793.tif 000002
【図２】
0003903793.tif 000003
【図３】
0003903793.tif 000004
【図４】
0003903793.tif 000005
【図５】
0003903793.tif 000006
【図６】
0003903793.tif 000007
【図７】
0003903793.tif 000008
【図８】
0003903793.tif 000009
【図９】
0003903793.tif 000010
【図１０】
0003903793.tif 000011
【図１１】
0003903793.tif 000012
【図１２】
0003903793.tif 000013
【図１３】
0003903793.tif 000014